【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アプリケーションプロセッサによって、ブロードキャストマルチキャストサービスから受信されるべきデータオブジェクトのための、ソースシンボルの総数と冗長レベルとを取得することと、
前記アプリケーションプロセッサに関連するモデムプロセッサを介して、前記ブロードキャストマルチキャストサービスからの前記データオブジェクトの複数の受信されたデータシンボルを受信することと、
前記アプリケーションプロセッサによって、前記複数の受信されたデータシンボルの数が、ソースシンボルの前記総数よりも大きいおよび前記データオブジェクトの送信のためのデータシンボルの総数よりも小さい、しきい値データレベルを超えると決定することと、ここにおいて、データシンボルの前記総数が、ソースシンボルの前記総数と前記冗長レベルによって決定された冗長シンボルの総数とを備える、
前記決定したことに応答して前記アプリケーションプロセッサによって、前記ブロードキャストマルチキャストサービスから受信された前記データオブジェクトのためのさらなる受信されたデータシンボルをフォワーディングすることを中止するように、前記モデムプロセッサにシグナリングすることと
を備える、方法。
【請求項２】
前記しきい値データレベルがソースシンボルの前記総数＋所定のオーバーヘッド値を備え、ここにおいて、前記所定のオーバーヘッド値が前記冗長レベルに関連するエラーコーディングアルゴリズムに基づく、請求項１に記載の方法。
【請求項３】
前記データオブジェクトの１つまたは複数のデータシンボルを正常に受信しないことのエラーレートを監視することと、
前記エラーレートがしきい値失敗ポイントに達したとき、前記データオブジェクトのためのさらなる受信されたデータシンボルをフォワーディングすることを中止するように、前記モデムプロセッサにシグナリングすることと、ここにおいて、前記しきい値失敗ポイントは、前記複数の受信されたデータシンボルの前記数＋受信するために残されたシンボルの残りの数が、前記しきい値データレベルに達することができないことに基づく、
をさらに含む、請求項１に記載の方法。
【請求項４】
フォワーディングすることを中止するように前記モデムプロセッサに前記シグナリングすることが、次のスケジュールされたデータオブジェクトまでデータを受信および復号することを停止するように前記モデムプロセッサをトリガする、請求項３に記載の方法。
【請求項５】
前記複数の受信されたデータシンボルのうちの少なくとも１つのセグメント境界を検出することと、
前記セグメント境界を検出したことに応答してセグメントタイマーを開始することと、ここにおいて、前記セグメントタイマーがセグメント長に設定される、
前記セグメントタイマーの満了に応答して、前記次のスケジュールされたデータオブジェクトのためのデータを受信および復号することを始めるように、前記モデムプロセッサにシグナリングすることと
をさらに含む、請求項４に記載の方法。
【請求項６】
ワイヤレス通信の方法であって、
モデムプロセッサにおいて、ブロードキャストマルチキャストサービスからのデータオブジェクト送信のための複数のデータシンボルを正常に受信することと、
前記モデムプロセッサに関連するアプリケーションプロセッサに、前記複数の正常に受信されたデータシンボルをフォワーディングすることと、
前記複数の正常に受信されたデータシンボルの数が、ソースシンボルの総数よりも大きいおよび前記データオブジェクトの送信のためのデータシンボルの総数よりも小さい、しきい値データレベルを超えたとき、前記アプリケーションプロセッサから第１の変更信号を受信することと、
前記第１の変更信号に応答して、前記アプリケーションプロセッサに前記データオブジェクトのための任意の追加のデータシンボルをフォワーディングすることを中止することと
を備える、方法。
【請求項７】
前記しきい値データレベルがソースシンボルの前記総数＋所定のオーバーヘッド値を備え、ここにおいて、前記所定のオーバーヘッド値が、前記ブロードキャストマルチキャストサービスからの前記データオブジェクト送信の冗長レベルに関連するエラーコーディングアルゴリズムに基づく、請求項６に記載の方法。
【請求項８】
前記データオブジェクトの１つまたは複数のデータシンボルを受信する際のエラーレートがしきい値失敗ポイントに達したとき、前記アプリケーションプロセッサから第２の変更信号を受信することと、ここにおいて、前記しきい値失敗ポイントは、前記複数の正常に受信されたデータシンボルの前記数＋受信するために残されたシンボルの残りの数が、前記しきい値データレベルに達することができないことに基づく、
前記第２の変更信号に応答して、前記アプリケーションプロセッサに前記データオブジェクトのための任意の追加のデータシンボルをフォワーディングすることを中止することと
をさらに含む、請求項６に記載の方法。
【請求項９】
前記第１の変更信号または前記第２の変更信号のいずれかに応答して、前記モデムプロセッサにおいて、次のスケジュールされたデータオブジェクトまで、前記データオブジェクトのためのデータシンボルを受信することを中止すること
をさらに含む、請求項８に記載の方法。
【請求項１０】
前記次のスケジュールされたデータオブジェクトの１つまたは複数のデータシンボルを受信および復号することを再開すること
をさらに含み、ここにおいて、前記再開することが、
前記アプリケーションプロセッサから第３の変更信号を受信すること、または
前記モデムプロセッサにおいて、前記次のスケジュールされたデータオブジェクトのセグメント開始を決定すること
のうちの１つに応答する、請求項９に記載の方法。
【請求項１１】
前記次のスケジュールされたデータオブジェクトの前記セグメント開始を前記決定することが、
前記ブロードキャストマルチキャストサービスからの前記次のスケジュールされたデータオブジェクトのために受信された１つまたは複数のデータシンボルのディープパケット検査を使用して、前記モデムプロセッサによって前記セグメント開始を検出すること
を含む、請求項１０に記載の方法。
【請求項１２】
前記次のスケジュールされたデータオブジェクトの前記セグメント開始を前記決定することは、
ディープパケット検査を使用して、前記複数の正常に受信されたデータシンボルのうちの少なくとも１つのセグメント境界を検出すること、
前記セグメント境界を検出したことに応答してセグメントタイマーを開始すること、ここにおいて、前記セグメントタイマーがセグメント長に設定され、ここにおいて、前記セグメント開始が前記セグメントタイマーの満了時に行われる、
を含む、請求項１０に記載の方法。
【請求項１３】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
アプリケーションプロセッサによって、ブロードキャストマルチキャストサービスから受信されるべきデータオブジェクトのための、ソースシンボルの総数と冗長レベルとを取得することと、
前記アプリケーションプロセッサに関連するモデムプロセッサを介して、前記ブロードキャストマルチキャストサービスからの前記データオブジェクトの複数の受信されたデータシンボルを受信することと、
前記アプリケーションプロセッサによって、前記複数の受信されたデータシンボルの数が、ソースシンボルの前記総数よりも大きいおよび前記データオブジェクトの送信のためのデータシンボルの総数よりも小さい、しきい値データレベルを超えると決定することと、ここにおいて、データシンボルの前記総数が、ソースシンボルの前記総数と前記冗長レベルによって決定された冗長シンボルの総数とを備える、
前記決定に応答して前記アプリケーションプロセッサによって、前記ブロードキャストマルチキャストサービスから受信された前記データオブジェクトのためのさらなる受信されたデータシンボルをフォワーディングすることを中止するように、前記モデムプロセッサにシグナリングすることと
を行うように構成された、装置。
【請求項１４】
前記しきい値データレベルがソースシンボルの前記総数＋所定のオーバーヘッド値を備え、ここにおいて、前記所定のオーバーヘッド値が前記冗長レベルに関連するエラーコーディングアルゴリズムに基づく、請求項１３に記載の装置。
【請求項１５】
前記データオブジェクトの１つまたは複数のデータシンボルを正常に受信しないことのエラーレートを監視することと、
前記エラーレートがしきい値失敗ポイントに達したとき、前記データオブジェクトのためのさらなる受信されたデータシンボルをフォワーディングすることを中止するように、前記モデムプロセッサにシグナリングすることと、ここにおいて、前記しきい値失敗ポイントは、前記複数の受信されたデータシンボルの前記数＋受信するために残されたシンボルの残りの数が、前記しきい値データレベルに達することができないことに基づく、
を行うための前記少なくとも１つのプロセッサの構成をさらに含む、請求項１３に記載の装置。
【請求項１６】
フォワーディングすることを中止するように前記モデムプロセッサにシグナリングするための前記少なくとも１つのプロセッサの前記構成が、次のスケジュールされたデータオブジェクトまでデータを受信および復号することを停止するように前記モデムプロセッサをトリガする、請求項１５に記載の装置。
【請求項１７】
前記複数の受信されたデータシンボルのうちの少なくとも１つのセグメント境界を検出することと、
前記セグメント境界を検出したことに応答してセグメントタイマーを開始することと、ここにおいて、前記セグメントタイマーがセグメント長に設定される、
前記セグメントタイマーの満了に応答して、前記次のスケジュールされたデータオブジェクトのためのデータを受信および復号することを始めるように、前記モデムプロセッサにシグナリングすることと
を行うための前記少なくとも１つのプロセッサの構成をさらに含む、請求項１６に記載の装置。
【請求項１８】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
モデムプロセッサにおいて、ブロードキャストマルチキャストサービスからのデータオブジェクト送信のための複数のデータシンボルを正常に受信することと、
前記モデムプロセッサに関連するアプリケーションプロセッサに、前記複数の正常に受信されたデータシンボルをフォワーディングすることと、
前記複数の正常に受信されたデータシンボルの数が、ソースシンボルの総数よりも大きいおよび前記データオブジェクトの送信のためのデータシンボルの総数よりも小さい、しきい値データレベルを超えたとき、前記アプリケーションプロセッサから第１の変更信号を受信することと、
前記第１の変更信号に応答して、前記アプリケーションプロセッサに前記データオブジェクトのための任意の追加のデータシンボルをフォワーディングすることを中止することと
を行うように構成された、装置。
【請求項１９】
前記しきい値データレベルがソースシンボルの前記総数＋所定のオーバーヘッド値を備え、ここにおいて、前記所定のオーバーヘッド値が、前記ブロードキャストマルチキャストサービスからの前記データオブジェクト送信の冗長レベルに関連するエラーコーディングアルゴリズムに基づく、請求項１８に記載の装置。
【請求項２０】
前記データオブジェクトの１つまたは複数のデータシンボルを受信する際のエラーレートがしきい値失敗ポイントに達したとき、前記アプリケーションプロセッサから第２の変更信号を受信することと、ここにおいて、前記しきい値失敗ポイントは、前記複数の正常に受信されたデータシンボルの前記数＋受信するために残されたシンボルの残りの数が、前記しきい値データレベルに達することができないことに基づく、
前記第２の変更信号に応答して、前記アプリケーションプロセッサに前記データオブジェクトのための任意の追加のデータシンボルをフォワーディングすることを中止することと
を行うための前記少なくとも１つのプロセッサの構成をさらに含む、請求項１８に記載の装置。
【請求項２１】
前記第１の変更信号または前記第２の変更信号のいずれかに応答して、前記モデムプロセッサにおいて、次のスケジュールされたデータオブジェクトまで、前記データオブジェクトのためのデータシンボルを受信することを中止するための前記少なくとも１つのプロセッサの構成をさらに含む、請求項２０に記載の装置。
【請求項２２】
前記次のスケジュールされたデータオブジェクトの１つまたは複数のデータシンボルを受信および復号することを再開するための前記少なくとも１つのプロセッサの構成をさらに含み、ここにおいて、再開するための前記構成が、
前記アプリケーションプロセッサから第３の変更信号を受信すること、または
前記モデムプロセッサにおいて、前記次のスケジュールされたデータオブジェクトのセグメント開始を決定すること
のうちの１つを行うための前記少なくとも１つのプロセッサの構成に応答して実行される、請求項２１に記載の装置。
【請求項２３】
前記次のスケジュールされたデータオブジェクトの前記セグメント開始を決定するための前記少なくとも１つのプロセッサの前記構成が、前記ブロードキャストマルチキャストサービスからの前記次のスケジュールされたデータオブジェクトのために受信された１つまたは複数のデータシンボルのディープパケット検査を使用して、前記モデムプロセッサによって前記セグメント開始を検出するための構成、請求項２２に記載の装置。
【請求項２４】
前記次のスケジュールされたデータオブジェクトの前記セグメント開始を決定するための前記少なくとも１つのプロセッサの前記構成は、前記少なくとも１つのプロセッサの構成を含む、請求項２２に記載の装置。